(57)【要約】【課題】動力源を新たに設けることなく、潤滑に伴う駆動力の効率低下を抑制できる変速機を提供する。【解決手段】デファレンシャルギヤ５は、変速機ケース２内に溜まった潤滑油の油溜に少なくとも一部が浸るように配置される。変速機ケース２内には、デファレンシャルギヤ５によって飛散された潤滑油を溜める油溜部９と、飛散する潤滑油が当たることにより回転する羽根車１０と、羽根車１０の回転力を利用して、油溜部９内の潤滑油を変速機ケース２内の他方端側に送る潤滑油送り機構１１とが設けられる。【選択図】図１
2014134244.tif 000002
【特許請求の範囲】
【請求項１】
変速機ケース内に回転自在に配置され、駆動源の動力が伝達される入力軸と、
該入力軸に対して平行に配置された出力軸と、
前記変速機ケース内の一方端側に配置され、該出力軸から動力が伝達されるデファレンシャルギヤとを有し、
前記入力軸上には、複数の駆動ギヤが配置され、
前記出力軸上には、前記駆動ギヤと夫々噛合する複数の従動ギヤが配置され、
前記デファレンシャルギヤは、その回転によって前記変速機ケース内に溜まった潤滑油の油溜を飛散させるように、油溜に少なくとも一部が浸るように配置された変速機であって、
前記変速機ケース内を飛散する潤滑油を溜める油溜部と、
前記デファレンシャルギヤによって飛散された潤滑油が当たることにより回転する羽根車と、
該羽根車の回転力を利用して、前記油溜部内の潤滑油を前記変速機ケース内の他方端側に送る潤滑油送り機構とを備えることを特徴とする変速機。
【請求項２】
請求項１に記載の変速機であって、
前記潤滑油送り機構によって、前記変速機ケース内の他方端側に送られた潤滑油を被潤滑部に供給する供給路が設けられたことを特徴とする変速機。
【請求項３】
請求項１または請求項２に記載の変速機であって、
前記潤滑油送り機構は送り機構ケースを備え、
該送り機構ケースは、前記油溜部の油溜部ケースと一体であることを特徴とする変速機。
【請求項４】
請求項１から請求項３の何れか１項に記載の変速機であって、
前記油溜部は、前記羽根車の前記デファレンシャルギヤとは反対の側の周面を覆う覆い部を備えることを特徴とする変速機。
【発明の詳細な説明】
【技術分野】
【０００１】
本発明は、変速機内の部品を潤滑油で潤滑する機構を備える変速機に関する。
【背景技術】
【０００２】
従来、デファレンシャルギヤに設けられたファイナルドリブンギヤに噛合するポンプ駆動ギヤが回転することにより駆動するオイルポンプを備えた変速機が知られている（例えば、特許文献１参照）。オイルポンプからは潤滑油が吐出され、吐出した潤滑油は、変速機内の潤滑が必要な箇所に供給される。
【先行技術文献】
【特許文献】
【０００３】
【特許文献１】特許第４５９００７５号公報
【発明の概要】
【発明が解決しようとする課題】
【０００４】
従来のエンジン等の走行用駆動源を動力源とするオイルポンプを備える変速機は、オイルポンプによって駆動力の一部が使用される。このため、走行用駆動源を動力源としていないオイルポンプを備える変速機と比較して、変速機の効率が低くなる（潤滑に伴う駆動力の効率低下）という問題がある。
【０００５】
そこで、走行用駆動源を用いることなく、別途、電動機等の他の動力源を設けて、これにより、オイルポンプを駆動させることも考えられる。しかしながら、この場合には、他の動力源を設ける必要があるため、変速機の小型化が図れず、また、コストが嵩むという問題がある。
【０００６】
本発明は、以上の点に鑑み、動力源を新たに設けることなく、潤滑に伴う駆動力の効率低下を抑制できる変速機を提供することを目的とする。
【課題を解決するための手段】
【０００７】
［１］上記目的を達成するため、本発明は、変速機ケース内に回転自在に配置され、駆動源の動力が伝達される入力軸と、該入力軸に対して平行に配置された出力軸と、前記変速機ケース内の一方端側に配置され、該出力軸から動力が伝達されるデファレンシャルギヤとを有し、前記入力軸上には、複数の駆動ギヤが配置され、前記出力軸上には、前記駆動ギヤと夫々噛合する複数の従動ギヤが配置され、前記デファレンシャルギヤは、その回転によって前記変速機ケース内に溜まった潤滑油の油溜を飛散させるように、油溜に少なくとも一部が浸るように配置された変速機であって、前記変速機ケース内を飛散する潤滑油を溜める油溜部と、前記デファレンシャルギヤによって飛散された潤滑油が当たることにより回転する羽根車と、該羽根車の回転力を利用して、前記油溜部内の潤滑油を前記変速機ケース内の他方端側に送る潤滑油送り機構とを備えることを特徴とする。
【０００８】
本発明によれば、デファレンシャルギヤの少なくとも一部は、変速機ケース内に溜まった潤滑油の油溜に浸るように配置されている。従って、デファレンシャルギヤは、効率よく潤滑される。また、デファレンシャルギヤの近傍に位置する一方端側の被潤滑部（潤滑が必要な部分）にも、飛散した潤滑油が供給される。このため、デファレンシャルギヤの周りに位置する被潤滑部も適切に潤滑することができる。
【０００９】
また、デファレンシャルギヤの少なくとも一部が油溜に浸っているが、従来のオイルポンプと比較して、油溜から潤滑油を飛散させるために消費される動力は少ない。
【００１０】
また、本発明では、デファレンシャルギヤによって飛散された潤滑油によって回転する羽根車が設けられ、この羽根車の回転によって作動し、デファレンシャルギヤが位置する一方端とは反対の他方端側に潤滑油を送る潤滑油送り機構が設けられている。
【００１１】
従って、デファレンシャルギヤが位置する一方端とは反対の他方端側に位置する被潤滑部も適切に潤滑することができる。
【００１２】
以上のように、本発明によれば、他の動力源を設けることなく、潤滑に伴う駆動力の効率低下を抑制できる。
【００１３】
［２］また、本発明において、潤滑油送り機構によって、変速機ケース内の他方端側に送られた潤滑油を、潤滑が必要な部分である被潤滑部に供給する供給路を設けることが好ましい。かかる構成によれば、他方端側に送られた潤滑油を、供給路を介して被潤滑部に適切に供給することができる。
【００１４】
［３］また、本発明において、潤滑油送り機構は送り機構ケースを備え、送り機構ケースは、油溜部の油溜部ケースと一体であることが好ましい。かかる構成によれば、潤滑油送り機構と油溜部とを一体化することができ、部品点数の削減を図ることができる。また、潤滑油送り機構と油溜部との間で潤滑油が漏れることを防止するためのシール構造が不要となり、便利である。
【００１５】
［４］また、本発明において、油溜部に、羽根車のデファレンシャルギヤとは反対の側の周面を覆う覆い部を設けることが好ましい。かかる構成によれば、羽根車で受け切れなかった潤滑油を、覆い部で受け止め、油溜部内に導くことができる。従って、より効率よく油溜部に潤滑油を溜めることができる。
【図面の簡単な説明】
【００１６】
【図１】本発明の変速機の実施形態を模式的に示す説明図。
【図２】本実施形態の変速機を軸方向から模式的に示す説明図。
【図３】図１の潤滑油送り機構を拡大して示す説明図。
【発明を実施するための形態】
【００１７】
図１〜図３を参照して、本発明の変速機の実施形態を説明する。図１及び図２に示すように、本実施形態の変速機１は、変速機ケース２内に回転自在に配置される入力軸３と、入力軸３に対して平行に配置された出力軸４と、デファレンシャルギヤ５とを備える。
【００１８】
入力軸３上には、複数の駆動ギヤ６が配置されている。出力軸４上には、駆動ギヤ６と夫々噛合する複数の従動ギヤ７が配置されている。また、出力軸４上には、デファレンシャルギヤ５の外歯に噛合する出力ギヤ８が配置されている。
【００１９】
デファレンシャルギヤ５は、その少なくとも一部が変速機ケース２内に溜まった潤滑油の油溜に浸かるように、変速機ケース２内の一方端側（例えば、エンジン側）に配置されている。デファレンシャルギヤ５が回転すると、油溜の潤滑油が変速機ケース２内に飛び散る。
【００２０】
また、変速機ケース２内には、飛散した潤滑油を油溜部ケース９ａ内に溜める油溜部９と、デファレンシャルギヤ５によって飛散された潤滑油が当たることにより回転する羽根車１０とが設けられている。
【００２１】
また、変速機ケース２内には、羽根車１０の回転力を利用して、油溜部９内の潤滑油を変速機ケース２内の他方端側（例えば、エンジンの逆側）に送る潤滑油送り機構１１が設けられている。
【００２２】
潤滑油送り機構１１は、螺旋水車１２と、螺旋水車１２を覆い、他方端側に開口部１３ａを有する送り機構ケース１３とを備える。
【００２３】
送り機構ケース１３は、油溜部ケース９ａと連通すると共に一体に形成されている。これにより、変速機１の部品点数を減らし、且つ、油溜部９と潤滑油送り機構１１との間で潤滑油が漏れることを防止するためのシール部材を不要とすることができる。
【００２４】
また、油溜部９には、羽根車１０の、デファレンシャルギヤ５とは反対の側の周面を覆う覆い部９ｂが設けられている。これにより、羽根車１０で受け切れなかった飛散する潤滑油を、覆い部９ｂで受け止めて、油溜部９内に導くことができる。従って、効率よく油溜部９内に飛散する潤滑油を溜めることができる。
【００２５】
また、送り機構ケース１３の開口部１３ａには、補助油溜部１４が接続されている。補助油溜部１４には、潤滑油送り機構１１で他方端側に送られた潤滑油が溜められる。補助油溜部１４には、樋状の供給路１５が接続され、補助油溜部１４内の潤滑油が供給路１５を流れるように構成している。供給路１５には、駆動ギヤ６または従動ギヤ７や他の潤滑が必要な部分である被潤滑部に潤滑油を滴下させるための、複数の貫通孔１５ａが設けられている。これにより、変速機１内のギヤ６，７などの被潤滑部を適切に潤滑させることができる。
【００２６】
本実施形態の変速機１によれば、デファレンシャルギヤ５の少なくとも一部は、変速機ケース２内に溜まった潤滑油の油溜に浸るように配置されている。従って、デファレンシャルギヤ５は、効率よく潤滑される。また、デファレンシャルギヤ５の近傍に位置する一方端側の被潤滑部（ギヤ６，７や軸受、シンクロメッシュ機構、クラッチ等の潤滑が必要な部分）にも、飛散した潤滑油が供給される。このため、デファレンシャルギヤ５の周りに位置する被潤滑部も適切に潤滑することができる。
【００２７】
また、デファレンシャルギヤ５の少なくとも一部が油溜に浸っているが、従来のオイルポンプと比較して、変速機ケース２内に溜まった油溜から潤滑油を飛散させるために消費される動力は少ない。
【００２８】
また、本実施形態では、デファレンシャルギヤ５によって飛散された潤滑油によって回転する羽根車１０が設けられ、この羽根車１０の回転によって作動し、デファレンシャルギヤ５が位置する一方端とは反対の他方端側（エンジンの逆側）に潤滑油を送る潤滑油送り機構１１が設けられている。
【００２９】
従って、デファレンシャルギヤ５が位置する一方端とは反対の他方端側に位置する被潤滑部も適切に潤滑することができる。
【００３０】
以上のように、本実施形態の変速機１の潤滑装置によれば、他の動力源を設けることなく、潤滑に伴う駆動力の効率低下を抑制できる。
【００３１】
また、本実施形態の変速機１は、車両が高速道路のジャンクションやサービスエリア入り口での旋回中等のときに、変速機ケース２内の潤滑油がデファレンシャルギヤ５側に偏っている場合にも、他方端側を適切に潤滑することができ、特に効果がある。
【符号の説明】
【００３２】
１  変速機
２  変速機ケース
３  入力軸
４  出力軸
５  デファレンシャルギヤ
６  駆動ギヤ
７  従動ギヤ
８  出力ギヤ
９  油溜部
９ａ  油溜部ケース
９ｂ  覆い部
１０  羽根車
１１  潤滑油送り機構
１２  螺旋水車
１３  送り機構ケース
１３ａ  開口部
１４  補助油溜部
１５  供給路
１５ａ  貫通孔
【図１】
2014134244.tif 000003
【図２】
2014134244.tif 000004
【図３】
2014134244.tif 000005